(57)【要約】【課題】ＬＥＤランプを照明器具に設置した後、不用意に設定が変更されることを防止したＬＥＤランプを提供する。【解決手段】ＬＥＤランプ１は、ＬＥＤを発光源とする発光部２と、発光部２に設けられた口金３と、口金３に配置されたスイッチ５を備えている。スイッチ５は、発光部２の発光源のＬＥＤの発光状態を切り替える。また、スイッチ５は、口金３の外形面または口金３の内部にスイッチを操作するための操作部が配置されている。【選択図】図１
2014099269.tif 000002
【特許請求の範囲】
【請求項１】
ＬＥＤを発光源とする発光部と、
前記発光部に設けられた口金と、
前記口金に配置され、前記ＬＥＤの発光状態を切り替えるためのスイッチと、
を備え、
前記スイッチは、前記口金の外形面または内部にスイッチを操作するための操作部が配置された、
ことを特徴とするＬＥＤランプ。
【請求項２】
前記スイッチは、前記発光部の発光面と逆側に配置されている、
ことを特徴とする請求項１に記載のＬＥＤランプ。
【請求項３】
前記口金は、円筒側面と前記円筒側面を切り欠く切り欠き面とを有する形状に形成され、
前記スイッチは前記切り欠き面に配置された、
ことを特徴とする請求項１または２に記載のＬＥＤランプ。
【請求項４】
前記口金は、ソケットに接続するための口金ピンを有し、
前記スイッチは、前記口金の口金ピンが配置された面に設置されている、
ことを特徴とする請求項１ないし３のいずれか１つに記載のＬＥＤランプ。
【請求項５】
前記スイッチの前記操作部を覆うスイッチカバーをさらに備える、
ことを特徴とする請求項１ないし４のいずれか１つに記載のＬＥＤランプ。
【請求項６】
前記スイッチは、前記ＬＥＤの発光量を切り替える、
ことを特徴とする請求項１ないし５のいずれか１つに記載のＬＥＤランプ。
【請求項７】
前記スイッチは、前記ＬＥＤの発光色を切り替える、
ことを特徴とする請求項１ないし６のいずれか１つに記載のＬＥＤランプ。
【請求項８】
前記スイッチは、前記ＬＥＤが点灯または消灯する時間を切り替える、
ことを特徴とする請求項１ないし７のいずれか１つに記載のＬＥＤランプ。
【発明の詳細な説明】
【技術分野】
【０００１】
本発明は、ＬＥＤランプに関する。
【背景技術】
【０００２】
ＬＥＤ（Light Emitting Diode）ランプは、白熱電球や蛍光ランプと比較して消費電力が低く寿命が長い。近年、市場で省エネルギーの要求が高まり、そのため、ＬＥＤランプの設置が進んでいる。
【０００３】
ＬＥＤランプを設置するにあたり、白熱電球や蛍光ランプと同等の明るさ、色にしたいなど、調光、調色に関するニーズがある。このようなニーズに対応して、調光や調色可能なランプが開発されている。
【０００４】
例えば、特許文献１には、照明用の白色光を発する白色ＬＥＤと、光触媒を励起するための青色光を発する青色ＬＥＤと、白色ＬＥＤおよび青色ＬＥＤを点灯制御する点灯制御部とを備え、点灯制御部が第１点灯モード、第２点灯モードの選択に応じて異なるＬＥＤを点灯させるＬＥＤユニットが開示されている。このＬＥＤユニットによれば、照明に適した光と光触媒を励起する光を、例えばリモコンを用いて選択できる。
【０００５】
また、特許文献２では、ランプ本体の支持部に電力供給のＯＮ／ＯＦＦを切り替えるためのスイッチを有する蛍光灯代替ＬＥＤランプが開示されている。この蛍光灯代替ＬＥＤランプは、ぶら下げられた紐を引っ張ることでＯＮ／ＯＦＦ動作するプルスイッチによって電力供給のＯＮ／ＯＦＦが切り替えられる。
【先行技術文献】
【特許文献】
【０００６】
【特許文献１】特開２０１２−０３８６４７号公報
【特許文献２】登録実用新案第３１４７６０８号公報
【発明の概要】
【発明が解決しようとする課題】
【０００７】
しかしながら、特許文献１または２のＬＥＤランプでは、ＬＥＤランプを照明器具に設置後、容易にその設定を変更可能である。このため、一度設定した調光、調色が不用意に変えられてしまう恐れがある。
【０００８】
本発明では、上記事情に鑑みてなされたものであり、ＬＥＤランプを照明器具に設置後、不用意に設定が変更されることを防止することを目的とする。
【課題を解決するための手段】
【０００９】
本発明の第１の観点に係るＬＥＤランプは、
ＬＥＤを発光源とする発光部と、
前記発光部に設けられた口金と、
前記口金に配置され、前記ＬＥＤの発光状態を切り替えるためのスイッチと、
を備え、
前記スイッチは、前記口金の外形面または内部にスイッチを操作するための操作部が配置された、
ことを特徴とする。
【発明の効果】
【００１０】
本発明によれば、ＬＥＤランプを照明器具に設置後、不用意に設定が変更されることを防止することができる。
【図面の簡単な説明】
【００１１】
【図１】実施の形態に係るＬＥＤランプの構成を説明するための斜視図である。
【図２】実施の形態に係るＬＥＤランプの回路構成を説明するためのブロック図である。
【図３】実施の形態４に係るセンサーカバーの斜視図である。
【図４】実施の形態５に係るＬＥＤランプの構成を説明するための斜視図である。
【図５】実施の形態５に係るＬＥＤランプのスイッチ部の分解図である。
【発明を実施するための形態】
【００１２】
（実施の形態１）
以下、本発明を実施するための形態について図面を参照して詳細に説明する。なお図中、同一または同等の部分には同一の符号を付す。図１は、実施の形態に係るＬＥＤランプの構成を説明するための斜視図である。
【００１３】
図１に示すように、本実施の形態に係るＬＥＤランプ１は、直管形発光部２と、口金３と、スイッチ５Ａとを備えている。
【００１４】
直管形発光部２は、複数のＬＥＤ（Light Emitting Diode）が直管形のハウジング内に配置された発光部である。複数のＬＥＤは、列を形成するように基板に実装されている。基板にはＬＥＤの発する熱を放熱するために、ヒートシンクや放熱板が配置される。例えば、ヒートシンクや放熱板は、ＬＥＤが実装された基板面と反対の面に配置される。
【００１５】
直管形発光部２のハウジングは、透明材料、例えばアクリル樹脂、ポリカーボネートを用いて円筒形状に形成されている。ハウジングは直管形であり、直管を構成する円筒の長さ、直径は、例えば、直管形蛍光ランプと同じである。直管形蛍光ランプのほか、一般社団法人日本電球工業会規格（JEL801:2010）のＬＥＤランプの発光部と同じ長さであってもよい。他のＬＥＤランプと同じ大きさであれば、発光部の種類を統一することが可能である。このため、供給、管理の簡略化、コストの低減化が可能である。
【００１６】
直管形発光部２のハウジングには、複数のＬＥＤのほか、電源回路等の回路が配置されている。図２は、実施の形態に係るＬＥＤランプの回路を説明するためのブロック図である。
【００１７】
図２に示すように、本実施の形態に係るＬＥＤランプは、ＬＥＤ２１および外部電源に接続された電源回路２２と、電源回路２２を制御する制御回路２３と、制御回路２３に接続されたスイッチ５Ａとを備えている。
【００１８】
電源回路２２は外部電源に接続されている。電源回路２２は外部電源（例えば、商用電源）の交流電圧を降圧等して所定の直流電圧に変換する。変換された直流電圧は、電源回路２２に接続されたＬＥＤ２１に供給される。
【００１９】
制御回路２３は電源回路２２に接続されている。制御回路２３は電源回路２２を介してＬＥＤ２１の点灯、発光状態を制御する。例えば、制御回路２３は、電源回路２２に接続された可変抵抗の抵抗値を変化させ、電源回路２２の調光端子に印加する電圧を変化させる。制御回路２３は、電源回路２２の調光端子の電圧を変化させるほか、パルス幅変調（PWM：Pulse Width Modulation）を行い、電源回路２２の調光に対する出力を制御することも可能である。
【００２０】
制御回路２３が制御する発光状態とは、発光量もしくは発光色またはそれらの組み合わせの状態である。発光状態の制御には、調光、調色が含まれる。制御回路２３はＬＥＤ２１の発光状態をスイッチ５Ａに基づいて制御する。
【００２１】
スイッチ５Ａは制御回路２３に接続されている。スイッチ５ＡはスイッチのＯＮ／ＯＦＦを制御回路２３に対して出力する。制御回路２３には、複数の発光状態に対応する電源回路への出力が設定され、スイッチ５ＡのＯＮ／ＯＦＦがその電源回路への出力それぞれに対応している。このため、スイッチ５Ａの切り替えにより、複数の発光状態からいずれか１つが選択されて、制御回路２３がスイッチ５ＡのＯＮ／ＯＦＦに基づいた発光状態でＬＥＤを点灯させる。
【００２２】
本実施の形態では、スイッチ５Ａには、ディップスイッチ（Dual In-line Package switch, DIP switch）が用いられている。詳細には、極数が２つあるディップスイッチを用いている。このディップスイッチは、００，０１，１０，１１（０：ＯＦＦ，１：ＯＮ）の４つの状態を選択可能である。この４つの状態にそれぞれ対応するように、制御回路２３には異なる明るさが設定されている。本実施の形態では、ディップスイッチを切り替えることにより、４通りの明るさを選択できる。例えば、「００」が調光率１００％、「０１」が調光率７５％、「１０」が調光率５０％、「１１」が調光率２５％と設定することが可能である。このように、本実施の形態では１つのＬＥＤランプで４通りの明るさを実現可能である。
【００２３】
本実施の形態のディップスイッチは、スライドスイッチで構成されている。ディップスイッチには、スライドスイッチのほか、例えば、プッシュロックスイッチ、ロータリースイッチで構成されるディップスイッチも使用可能である。
【００２４】
スイッチ５Ａは、口金３に配置されている。口金３は、照明器具のソケットに挿入される挿入部であり、直管形発光部１の両端に設けられる。スイッチ５Ａは、その一方の口金３に設けられ、口金３の外形面に配置される。
【００２５】
口金３は、円筒の一部に切り欠き面を有する形状に形成されている。すなわち、口金３の外形は、円筒側面３２と切り欠き面３１を有する形状に形成されている。
【００２６】
円筒側面３２は、直管形蛍光灯ランプと互換性をもたせるため、その規格に沿った大きさ、位置に形成されている。本実施の形態では、口金３は、直管形蛍光ランプ用のＧ１３口金と同じ直径、長さの円筒側面３２を有する形状に形成されている。
【００２７】
切り欠き面３１は、円筒側面３２が外形を構成する円筒の底面３３と交わるように配置された平面である。切り欠き面は直管形蛍光灯ランプとＬＥＤランプ１を識別するために設けられている。すなわち、この平面と対応する形状の孔が形成されたソケットが照明装置に利用された場合、この孔に適合する、切り欠き面を有する形状に形成された口金のみが照明装置に接続可能であり、直管形蛍光灯ランプは接続不能である。本実施の形態に係るＬＥＤランプ１は、このようなソケット（以下専用ソケットという）を備える照明装置で利用された場合に、直管形蛍光灯ランプと識別可能である。なお、本実施の形態に係る口金３は、円筒側面３２の直径、長さが直管形蛍光ランプの規格に沿っているので、本実施の形態に係るＬＥＤランプ１は、直管形蛍光ランプの口金に適合するソケットを利用したＬＥＤ照明装置にも装着可能である。
【００２８】
切り欠き面３１には、スイッチ５Ａを操作するための操作部が切り欠き面の表面に現れるように配置されている。口金３がソケットに挿入可能となるように、スイッチ５Ａの操作部は、切り欠き面３１とほぼ同一平面に配置されている。スイッチ５Ａの操作部が切り欠き面３１と同じ平面にあるので、スイッチ５Ａは操作性が優れている。本実施の形態では、スイッチ５Ａの操作部が切り欠き面３１とほぼ同一平面であるが、口金３がソケットに挿入可能であればよいので、例えば、スイッチ５Ａの操作部は、切り欠き面３１表面よりも内側に配置されてもよい。
【００２９】
切り欠き面３１は、ＬＥＤの発光面と反対の面に配置される。この場合、スイッチ５Ａはランプの発光面と反対側の面に配置される。ランプの発光面と反対側は、照明器具本体側（例えば、反射板や建築物の天井側）であるので、ＬＥＤランプ１がソケットに挿入された後、使用者はスイッチを切り替えることが困難である。本実施の形態に係るＬＥＤランプ１は、ソケットに挿入する前に、スイッチ５Ａの切り替え作業を行う必要がある。このため、このＬＥＤランプ１は、ソケットに挿入後、不用意にスイッチが切り替えられる恐れがない。
【００３０】
以上、本実施の形態では、極数が２つあるディップスイッチを例として挙げているが、ディップスイッチの極数は、２つに限られない。ディップスイッチは、極数が１つであってもよいし、極数が２以上であってもよい。ディップスイッチの極数は、設定したい発光状態の数に応じて定める。極数が多いディップスイッチを採用すると、より細やかな調光、調色が可能である。また、本実施の形態のディップスイッチに替えて、ボリューム（ＶＲ：variable resistance、可変抵抗）等を用いることにより、連続的な調光、調色を行ってもよい。
【００３１】
また、本実施の形態では、切り欠き面３１がＬＥＤの発光面と反対の面に配置される形態を説明したが、切り欠き面３１がランプの発光面側に配置されてもよい。この場合、スイッチ５Ａは、発光面側に配置される。発光面側、すなわち使用者側にスイッチ５Ａが配置されているので、ＬＥＤランプ１をソケットに挿入したままスイッチ５Ａの切り替えが可能である。スイッチ５Ａは、口金３に配置されているので、リモコンや紐が連結したプルスイッチと比較してスイッチの切り替えが容易でない。このため、不用意にスイッチが切り替えられる可能性が低い。
【００３２】
（実施の形態２）
実施の形態２では、ＬＥＤランプの発光状態を切り替えるスイッチにディップスイッチ以外のスイッチを用いる。
【００３３】
タクタイルスイッチ（Tactile switch）は、ボタンを押したときにだけ導通（ＯＮ）するスイッチである。例えば、タクタイルスイッチには、タクトスイッチ（商標）が使用可能である。
【００３４】
本実施の形態では、スイッチ５Ａはタクタイルスイッチであり、制御回路２３はスイッチ５Ａが押された回数をカウントし、制御回路２３はそのカウント数に応じて発光状態を切り替える。
【００３５】
例えば、制御回路２３は、タクタイルスイッチが押されて導通（ＯＮ）したときの信号をクロック信号として扱う。制御回路２３はこのクロック信号のクロック数をカウントする。制御回路２３はカウントされたクロック数に応じて発光状態の設定を切り替える。
【００３６】
詳細には、制御回路２３は記憶部を有し、この記憶部に、カウント数と対応づけた発光状態をあらかじめ記憶させる。制御回路２３は、カウント数に対応する発光状態を記憶部から読み出し、カウント数に対応する発光状態に切り替える。
【００３７】
例えば、記憶部には、カウント数＝１のとき、調光率１００％、カウント数＝２のとき、調光率８０％、カウント数＝３のとき、調光率６０％というデータを記憶させる。制御回路２３はこのデータに基づいて調光を切り替える。
【００３８】
また、スイッチ５Ａがタクタイルスイッチである場合、タクタイルスイッチをトグルスイッチとして利用し、スイッチ５Ａが導通（ＯＮ）する毎に制御回路２３が発光状態を変化させる形態も可能である。
【００３９】
例えば、制御回路２３は、上記と同様に、タクタイルスイッチが押されて導通（ＯＮ）したときの信号をクロック信号として扱う。制御回路２３は、クロック信号が入力されるたびに、発光状態を順次変更する。例えば、制御回路２３は、クロック信号が入力されると、（１）調光率１００％→（２）調光率８０％→（３）調光率６０％→（１）調光率１００％・・・のように、繰り返し動作(トグル動作)で調光を切り替える。
【００４０】
（実施の形態３）
実施の形態３では、スイッチ５Ａによって、ＬＥＤの発光量のほか、発光色を切り替える。
【００４１】
本実施の形態では、直管形発光部２には、白色ＬＥＤと、電球色ＬＥＤとが配置される。各ＬＥＤそれぞれに電源を供給する電源回路２２が設けられる。
【００４２】
また、本実施の形態では、スイッチ５Ａには、タクタイルスイッチが用いられる。
【００４３】
制御回路２３は、各ＬＥＤに対応する電源回路２２それぞれに接続されている。制御回路２３は、各ＬＥＤの電源回路２２を介してＬＥＤランプ全体の調色を制御する。例えば、制御回路２３は、スイッチ５ＡのＯＮ／ＯＦＦに基づいて電源回路２２に接続されたＯＮ・ＯＦＦ端子に信号を入力し、各ＬＥＤの点灯を制御する。
【００４４】
また、制御回路２３は、電源回路２２を介してＬＥＤの調光を制御する。制御回路２３は、スイッチ５ＡのＯＮ／ＯＦＦに基づいて電源回路２２に接続された可変抵抗の抵抗値を変化させ、電源回路２２の調光端子に印加する電圧を変化させる。
【００４５】
制御回路２３は、実施の形態２と同様に、記憶部を有する。本実施の形態では、この記憶部に、カウント数と対応づけた調光および調色をあらかじめ記憶させる。制御回路２３は、カウント数に対応する調光および調色を記憶部から読み出し、カウント数に対応する調光および調色に切り替える。
【００４６】
例えば、記憶部には、カウント数＝１のとき、白色ＬＥＤおよび電球色ＬＥＤ点灯、調光率１００％、カウント数＝２のとき、白色ＬＥＤのみ点灯、調光率１００％  カウント数＝３のとき、電球色ＬＥＤ点灯のみ点灯、調光率１００％、カウント数＝４のとき、白色ＬＥＤおよび電球色ＬＥＤ点灯、各ＬＥＤ調光率５０％、というデータを記憶させる。制御回路２３はこのデータに基づいて調光および調色を切り替える。
【００４７】
制御回路２３がスイッチ５Ａに基づいてＬＥＤの調光および調色を切り替えると、上記の２種類のＬＥＤの場合、白色、昼白色、電球色、およびこれらの中間色にＬＥＤランプを点灯させることが可能である。
【００４８】
このように、本実施の形態に係るＬＥＤランプ１は、１つのランプで複数の明るさ・色を選択可能である。従来のランプでは、ランプによりその明るさ・色が決まっているため、明るさ・色を変更したい場合、ランプ自体を交換する必要があったが、本実施の形態によれば、１つのランプで複数の明るさ・色を選択可能である。このため、明るさ・色に応じたランプ交換は不要である。また、１つのランプで複数の明るさ・色を選択可能であるので、ランプの機種を統一することが可能である。ランプの管理の簡略化、コストの低減化が可能である。
【００４９】
制御回路２３は、ＬＥＤの発光量や発光色のほか、スイッチ５ＡのＯＮ／ＯＦＦに基づいてＬＥＤが点灯する点灯時間を制御してもよい。例えば、上記の記憶部に、カウント数と対応づけた調光、調色および点灯時間をあらかじめ記憶させる。制御回路２３は、カウント数に対応する調光、調色および点灯時間を記憶部から読み出し、カウント数に対応する調光、調色および点灯時間に切り替える。
【００５０】
このような形態であれば、ＬＥＤランプの点灯のタイマー制御が可能である。例えば、所定の時間点灯すると消灯するＬＥＤランプや、あらかじめ定められた時間に点灯、消灯するＬＥＤランプが提供可能である。
【００５１】
（実施の形態４）
以上の実施の形態のスイッチにスイッチカバーが設けられてもよい。図３は、実施の形態４に係るセンサーカバーの斜視図である。
【００５２】
スイッチカバーには、例えば、スイッチ５Ａの操作部全体を覆うカバー６Ａが用いられる（図３（Ａ）参照）。また、スイッチが口金表面によりも内側に配置された場合には、そのスイッチ上をスライドするスライド式のカバー６Ｂ（図３（Ｂ）参照）や、スイッチを覆う蓋方式のカバー６Ｃ（図３（Ｃ）参照）を用いてもよい。また、口金ピンを挿入するための孔が形成された口金全体を覆うキャップ式のカバー６Ｄ（図３（Ｄ）参照）を用いてもよい。カバー６Ｄの場合には、直管形蛍光灯ランプと互換性を確保するため、その外形の直径、長さを直管形蛍光灯ランプと同じ直径、長さにしてもよい。
【００５３】
このようなスイッチカバーを設けることにより、塵などの侵入や誤って触れて設定が変更されることが防止可能である。すなわち、この形態によれば接点不良や誤設定が防止可能である。
【００５４】
（実施の形態５）
実施の形態１では、スイッチが口金の切り欠き面に配置される形態を説明したが、スイッチは、口金の円筒側面または口金ピンが設けられる底面に配置されてもよい。
【００５５】
図４は、実施の形態５に係るＬＥＤランプの構成を説明するための斜視図である。図４に示すように、スイッチは、口金を構成する円筒の底面３３に配置されている。図４（Ａ）に示す形態では、スライドスイッチで構成されるディップスイッチ５Ａが口金ピン４とほぼ平行に配置されている。また、図４（Ｂ）に示す形態では、ロータリースイッチで構成されるディップスイッチ５Ｂが口金ピン４の間に配置されている。
【００５６】
口金ピン４は、照明装置のソケットに設けられた接続部（外部電源に接続された銅板）に接続されて使用されるので、ＬＥＤランプ１がソケットに挿入されたとき、スイッチは、口金ピン４と接続される接続部を有するソケット側の面に向き合う。このため、ＬＥＤランプ１がソケットに挿入された後、使用者はスイッチを切り替えることが困難である。本実施の形態に係るＬＥＤランプ１は、ソケットに挿入する前に、スイッチ５Ａの切り替え作業を行う必要がある。このため、このＬＥＤランプ１は、ソケットに挿入後、不用意にスイッチが切り替えられる恐れがない。
【００５７】
また、スイッチは、口金の内部に配置され、その操作部が口金の外形を構成する切り欠き面、円筒側面および底面のいずれかから操作可能であってもよい。
【００５８】
図５は、実施の形態５に係るＬＥＤランプのスイッチ部の分解図である。図５において、口金３にシリコンラバー７を介してセンサー５Ｂが装着される。凹部３６は、口金３を直管形発光部２に固定するためのネジを設置するためのネジ孔である。
【００５９】
図５に示すように、口金３には、口金ピン４の間に、口金を貫通する貫通孔３７が形成されている。貫通孔３７には、貫通孔を塞ぐようにセンサー５Ｂが配置される。センサー５Ｂは、ロータリースイッチで構成され、ロータリー部が貫通孔の孔に配置されている。ロータリー部は、貫通孔から挿入されたドライバー等の工具により回転されて切り替えが行われる。
【００６０】
この形態では、スイッチ５Ｂが口金３の内部に配置され、その操作部が口金３の外形を構成する底面から操作可能である。この口金３の底面は、ＬＥＤランプ１がソケットに挿入されたとき、口金ピン４と接続される接続部を有するソケット側の面に向き合うので、ＬＥＤランプ１がソケットに挿入された後、使用者はスイッチを切り替えることが困難である。このため、図４に示す形態と同様に、この形態のＬＥＤランプ１は、ソケットに挿入後、不用意にスイッチが切り替えられる恐れがない。
【００６１】
以上、本発明の実施の形態について説明したが、本発明は上記の実施の形態等に限定されるものではない。例えば、以上の形態では、直管形のＬＥＤランプについて説明したが、例えば、電球形のＬＥＤランプや、蛍光灯でいうコンパクト形（すなわち、発光管を折り曲げた形態）にも適用可能である。
【００６２】
また、実施の形態３では、制御回路がスイッチのＯＮ／ＯＦＦに基づいてＬＥＤの発光量、発光色および点灯時間を制御する形態を説明したが、制御回路がスイッチのＯＮ／ＯＦＦに基づいて発光色のみを制御してもよい。上述の形態から、制御回路が、発光量、発光色および点灯時間の各要素のうち少なくとも１つをスイッチのＯＮ／ＯＦＦに基づいて制御してもよいことは明らかである。
【００６３】
上記の実施形態の一部又は全部は、以下の付記のようにも記載されうるが、以下には限られない。
【００６４】
（付記１）
ＬＥＤを発光源とする発光部と、
前記発光部に設けられた口金と、
前記口金に配置され、前記ＬＥＤの発光状態を切り替えるためのスイッチと、
を備え、
前記スイッチは、前記口金の外形面または内部にスイッチを操作するための操作部が配置された、
ことを特徴とするＬＥＤランプ。
【００６５】
（付記２）
前記スイッチは、前記発光部の発光面と逆側に配置されている、
ことを特徴とする付記１に記載のＬＥＤランプ。
【００６６】
（付記３）
前記口金は、円筒側面と前記円筒側面を切り欠く切り欠き面とを有する形状に形成され、
前記スイッチは前記切り欠き面に配置された、
ことを特徴とする付記１または２に記載のＬＥＤランプ。
【００６７】
（付記４）
前記口金は、ソケットに接続するための口金ピンを有し、
前記スイッチは、前記口金の口金ピンが配置された面に設置されている、
ことを特徴とする付記１ないし３のいずれか１つに記載のＬＥＤランプ。
【００６８】
（付記５）
前記スイッチの前記操作部を覆うスイッチカバーをさらに備える、
ことを特徴とする付記１ないし４のいずれか１つに記載のＬＥＤランプ。
【００６９】
（付記６）
前記スイッチは、前記ＬＥＤの発光量を切り替える、
ことを特徴とする付記１ないし５のいずれか１つに記載のＬＥＤランプ。
【００７０】
（付記７）
前記スイッチは、前記ＬＥＤの発光色を切り替える、
ことを特徴とする付記１ないし６のいずれか１つに記載のＬＥＤランプ。
【００７１】
（付記８）
前記スイッチは、前記ＬＥＤが点灯または消灯する時間を切り替える、
ことを特徴とする付記１ないし７のいずれか１つに記載のＬＥＤランプ。
【符号の説明】
【００７２】
１  ＬＥＤランプ
２  直管形発光部
３  口金
４  口金ピン
５Ａ，５Ｂ  スイッチ
６Ａ，６Ｂ，６Ｃ，６Ｄ  スイッチカバー
３１  切り欠き面
３２  円筒側面
３３  底面
３６  貫通孔
３７  凹部
【図１】
2014099269.tif 000003
【図２】
2014099269.tif 000004
【図３】
2014099269.tif 000005
【図４】
2014099269.tif 000006
【図５】
2014099269.tif 000007